(57)【特許請求の範囲】
【請求項１】
伸縮する蛇腹筒部と、該蛇腹筒部の両端に嵌着部を一体に形成し、該嵌着部をそれぞれドア側のパネル、車体側のパネルに嵌着する蛇腹グロメットにおいて，
前記蛇腹筒部の一方の端部に設けられる嵌着部に、細板状に突出する固定片を設け，
前記蛇腹筒部の他方の端部に設けられる嵌着部に、該嵌着部を取り付ける車体側のパネル面に沿うように該嵌着部取付部から略直角状に屈曲してＬ字状に形成される案内筒部を設け，
前記嵌着部を取り付ける前記車体側のパネル面に面する前記案内筒部のＬ字屈曲部に外部に開放する開口部を設けたことを特徴とする蛇腹グロメット。
【請求項２】
前記案内筒部は、前記車体側のパネル面の反対側に前記開口部から先端までスリットを形成し、該スリットを開閉することによって前記ワイヤーハーネスを挿脱するようにしたものである請求項１に記載の蛇腹グロメット。
【発明の詳細な説明】
【０００１】
【発明の属する技術分野】
本発明は、例えば自動車の車体側パネルとドア側パネルに跨がって取付けられ、ワイヤーハーネスを通してワイヤーハーネスを保護する筒部の端部に取り付けられるグロメットに係り、特に無理なくワイヤーハーネスを挿入でき、パネル間で動きが有ってもワイヤーハーネスが曲がり部で擦れの生じることのないグロメットに関する。
【０００２】
【従来の技術】
従来の蛇腹グロメットは、図７に示す如き構成を有している。すなわち、蛇腹グロメット１は、嵌着部２と蛇腹筒３が一体に成形されており、嵌着部２は、蛇腹筒３とほぼ直交する方向に湾曲されている。この蛇腹筒３内には、ワイヤーハーネス４が収納されている。この蛇腹グロメット１は、例えば、自動車の車体側パネル５とドア側パネルに跨がって取付けられ、ドア側パネルの移動に応じて蛇腹筒３が矢印Ａ、矢印Ｂに示す方向に自由に曲がるようになっている。
【０００３】
【発明が解決しようとする課題】
しかしながら、このような従来の蛇腹グロメットにあっては、ドア側パネルの移動に応じて蛇腹筒３が矢印Ａ、矢印Ｂに示す方向に曲がると、蛇腹筒３内に収納されているワイヤーハーネス４は、蛇腹筒３の伸縮によって蛇腹筒３内を移動することになり、ワイヤーハーネス４が蛇腹筒３内を出入りし、嵌着部２の曲がり部３０の内壁面にワイヤーハーネス４が当たり、ワイヤーハーネス４が擦れ、ワイヤーハーネス４が摩耗するという問題がある。
【０００４】
また、嵌着部２が蛇腹筒３とほぼ直交する方向に湾曲されているため、蛇腹筒３内にワイヤーハーネス４を通すのに専用治具等を必要とし作業性が悪いという問題がある。
【０００５】
本発明の目的は、特別な専用治具を用いなくてもワイヤーハーネスを容易に収納でき、蛇腹筒部が伸縮・屈曲してもワイヤーハーネスが案内筒部の曲がり部で擦れて破損するのを防止し、組付性を向上し、確実にワイヤーハーネスの規制を行えるようにすることにある。
【０００６】
【課題を解決するための手段】
上記目的を達成するため、本願請求項１に記載の蛇腹グロメットは、伸縮する蛇腹筒部と、該蛇腹筒部の両端に嵌着部を一体に形成し、該嵌着部をそれぞれドア側のパネル、車体側のパネルに嵌着する蛇腹グロメットにおいて，前記蛇腹筒部の一方の端部に設けられる嵌着部に、細板状に突出する固定片を設け，前記蛇腹筒部の他方の端部に設けられる嵌着部に、該嵌着部を取り付ける車体側のパネル面に沿うように該嵌着部取付部から略直角状に屈曲してＬ字状に形成される案内筒部を設け，前記嵌着部を取り付ける前記車体側のパネル面に面する前記案内筒部のＬ字屈曲部に外部に開放する開口部を設けて構成したものである。
このように構成することにより本願請求項１に記載の発明によると、特別な専用治具を用いなくてもワイヤーハーネスを容易に収納でき、蛇腹筒部が伸縮・屈曲してもワイヤーハーネスが案内筒部の曲がり部で擦れて破損するのを防止し、確実にワイヤーハーネスの規制を行うことができる。
【０００７】
上記目的を達成するため、本願請求項２に記載の蛇腹グロメットは、案内筒部を、車体側のパネル面の反対側に開口部から先端までスリットを形成し、このスリットを開閉することによってワイヤーハーネスを挿脱するのを容易にしたものである。
このように構成することにより本願請求項２に記載の発明によると、特別な専用治具を用いなくてもワイヤーハーネスを容易に収納でき、蛇腹筒部が伸縮・屈曲してもワイヤーハーネスが案内筒部の曲がり部で擦れて破損するのを防止でき、スリットを開閉してワイヤーハーネスを案内筒部内に収納するため組付性が向上し、案内筒部によって確実にワイヤーハーネスの規制を行うことができる。
また、案内筒部に収納されたワイヤーハーネスを案内筒部側で固定する場合には、開口部から先端まで形成されたスリットによって、ワイヤーハーネスの仕上がり線径が細い場合、スリット部を重ね合わせてテープ巻きすることが容易に固定することができ、ワイヤーハーネスの仕上がり線径が太い場合、スリット部をはだけてワイヤーハーネスに案内筒部を抱かせてテープ巻きすることで容易に固定することができるので、ワイヤーハーネスの仕上がり線径が異なっても、ある程度の線径に対応することができ、バリエーションを広くすることができる。
【０００９】
【発明の実施の形態】
以下、本発明に係る蛇腹グロメットの実施の形態を説明する。
図１〜図６には、本発明に係る蛇腹グロメットの一実施の形態が示されている。
【００１０】
図において、蛇腹グロメット１０は、伸縮する蛇腹筒部１１を備え、この蛇腹筒部１１の一方の端部には、例えば、図示していない自動車のドア側のパネル１２に嵌着する嵌着部１３が蛇腹筒部１１に一体に設けられている。この蛇腹筒部１１は、伸縮するように構成されており、可撓性を有する材質（例えば、ゴム、合成樹脂等）で構成されている。そして、この蛇腹筒部１１内には、ワイヤーハーネス１４が収納されるようになっている。
【００１１】
また、この嵌着部１３は、楕円形状に形成され、蛇腹筒部１１と一体に形成されている。そして、この嵌着部１３には、パネルに嵌着するための溝部１５が形成されている。すなわち、この嵌着部１３のパネル１２への嵌着は、パネル１２を溝部１５に嵌め込むことによって行う。また、嵌着部１３には、蛇腹筒部１１形成方向と反対側に、ワイヤーハーネス１４を固定する細板状に突出する固定片１６が設けられている。この固定片１６へのワイヤーハーネス１４への固定は、固定片１６にワイヤーハーネス１４を沿わせて粘着テープを巻き付けることによって行われる。これによってワイヤーハーネス１４は、蛇腹筒部１１の一方の端部の嵌着部１３に固定され、蛇腹筒部１１が屈曲すると蛇腹筒部１１の他方の端部側のワイヤーハーネス１４が移動（出入り）することになる。
【００１２】
また、蛇腹筒部１１の他方の端部には、例えば、図示していない自動車の車体側のパネル１７に嵌着する嵌着部１８が蛇腹筒部１１と一体に形成されている。そして、この嵌着部１８には、パネル１７に嵌着するための溝部１９が形成されている。すなわち、この嵌着部１８のパネル１７への嵌着は、パネル１７を溝部１９に嵌め込むことによって行う。また、嵌着部１８には、蛇腹筒部１１形成方向と反対側に、嵌着部１３側から通してきたワイヤーハーネス１４を収納し案内する案内筒部２０が設けられている。この案内筒部２０は、嵌着部１８を取り付けるパネル１７の面に沿うようにＬ字状に屈曲して形成されている。また、この案内筒部２０は、Ｌ字状に屈曲する屈曲部に、外部に開放された開口部２１が形成されている。この開口部２１は、嵌着部１３側から通してきたワイヤーハーネス１４を屈曲させない状態で通すためのもので、嵌着部１３側から通してきたワイヤーハーネス１４を開口部２１を貫いて直線状に通したときに縁でワイヤーハーネス１４の外周を擦ってワイヤーハーネス１４に傷を付けないだけの開口面積を持って形成されている。
【００１３】
さらに、この案内筒部２０には、長手方向に先端まで伸びるスリット２２が設けられている。このスリット２２は、嵌着部１３側から通してきたワイヤーハーネス１４を開口部２１を貫いて直線状に通し、屈曲させて案内筒部２０内に収納するときに案内筒部２０を開くためのものである。
【００１４】
このように構成される蛇腹グロメット１０は、図２に示す如く、２つのパネル１２、１７間（例えば、自動車の車体側パネルとドア側パネル）に跨がって取付けられ、一方のパネル１２の移動に応じて蛇腹筒部１１が自由に伸縮・屈曲するようになっている。
【００１５】
このような蛇腹グロメット１０へのワイヤーハーネス１４の装着は、まず、図３に示す如く、一方の嵌着部１３側からワイヤーハーネス１４を通し、嵌着部１８の開口部２１を貫いて直線状に通す。しかる後、図４に示す如く、案内筒部２０のスリット２２をワイヤーハーネス１４が通せる広さに開く。そして、図５に示す如く屈曲させて、図６に示す如く案内筒部２０内に収納する。その後、案内筒部２０のスリット２２を閉じてワイヤーハーネス１４を収納する。
【００１６】
このように嵌着部１８に開口部２１が形成された構成となっているため、蛇腹グロメット１０にワイヤーハーネス１４を通す際、ワイヤーハーネス１４をストレートに通してやるので、特別な専用治具がなくてもワイヤーハーネス１４を簡単に通すことができ、作業効率を向上することができる。また、案内筒部２０にスリット２２が形成された構成となっているため、ワイヤーハーネス１４を簡単に案内筒部２０内に収納することができ、組付性を向上することができる。また、嵌着部１８に筒状形状の案内筒部２０を設けているため、確実にワイヤーハーネスの規制を行うことができる。
【００１７】
また、このように構成されるものであるから、嵌着部１３が図６に図示の矢印Ａに示す方向に移動すると、蛇腹筒部１１は伸び、これに伴ってワイヤーハーネス１４は、図６に図示の矢印Ｂに示す方向に移動する。この移動の際、ワイヤーハーネス１４は、嵌着部１８に開口部２１が形成されているので、案内筒部２０から引き出される際に嵌着部１８の内壁面の屈曲部に当接することがなくワイヤーハーネス１４の外周面を傷つけることがない。さらに、嵌着部１８に開口部２１が形成されているので、ワイヤーハーネス１４の捩れ、断線、伸縮による蛇腹グロメット１０の壁への干渉等の不具合を防止することができる。
【００１８】
また、嵌着部１３が図６に図示の矢印Ｃに示す方向に移動すると、蛇腹筒部１１は縮み、これに伴ってワイヤーハーネス１４は、図６に図示の矢印Ｄに示す方向に移動する。この移動の際、ワイヤーハーネス１４は、嵌着部１３の移動に伴って押され、図６に図示の矢印Ｄに示す押し出されてくる方向に移動してくる。すなわち、ワイヤーハーネス１４は、嵌着部１８の内壁面の屈曲部に当接する方向に押し出されてくる。しかし、本実施の形態によると、嵌着部１８の屈曲部に開口部２１が形成されているので、ワイヤーハーネス１４が、嵌着部１８の屈曲部に向かって押し出されても、嵌着部１８の内壁面の屈曲部に当接することがなく嵌着部１８の開口部２１から少し突出しながら案内筒部２０内に案内されて移動していくためワイヤーハーネス１４の外周面を傷つけることがない。
【００１９】
また、嵌着部１３が図６に図示の矢印Ｅに示す方向に移動すると、蛇腹筒部１１は伸び又は縮み、これに伴ってワイヤーハーネス１４は、同様に図６に図示の矢印Ｂに示す方向又は矢印Ｄに示す方向に移動し、ワイヤーハーネス１４が、嵌着部１８の内壁面の屈曲部に当接することがなくワイヤーハーネス１４の外周面を傷つけることがない。
【００２０】
また、ワイヤーハーネス１４は、案内筒部２０に収納されたワイヤーハーネス１４を案内筒部２０側で固定する場合がある。この案内筒部２０に収納されたワイヤーハーネス１４を案内筒部２０側で固定する場合には、ワイヤーハーネス１４の仕上がり線径が細い場合、スリット２２の両辺を重ね合わせてテープ巻きすることで容易に固定することができる。さらに、案内筒部２０に収納されたワイヤーハーネス１４を案内筒部２０側で固定する場合で、ワイヤーハーネス１４の仕上がり線径が太い場合には、スリット２２の両辺を広げはだけるようにワイヤーハーネスに案内筒部２０を抱かせてテープ巻きすることで容易に固定することができる。
なお、嵌着部１８に開口部２１が形成された構成となっているため、蛇腹グロメット１０を成形する金型を容易に製作することができる。
【００２１】
【発明の効果】
以上説明したように本発明によれば、次のような効果を奏する。
【００２２】
請求項１に記載の発明によれば、特別な専用治具を用いなくてもワイヤーハーネスを容易に収納でき、蛇腹筒部が伸縮・屈曲してもワイヤーハーネスが案内筒部の曲がり部で擦れて破損するのを防止し、確実にワイヤーハーネスの規制を行うことができる。
【００２３】
請求項２に記載の発明によれば、特別な専用治具を用いなくてもワイヤーハーネスを容易に収納でき、蛇腹筒部が伸縮・屈曲してもワイヤーハーネスが案内筒部の曲がり部で擦れて破損するのを防止でき、スリットを開閉してワイヤーハーネスを案内筒部内に収納するため組付性が向上し、案内筒部によって確実にワイヤーハーネスの規制を行うことができる。
また、案内筒部に収納されたワイヤーハーネスを案内筒部側で固定する場合には、開口部から先端まで形成されたスリットによって、ワイヤーハーネスの仕上がり線径が細い場合、スリット部を重ね合わせてテープ巻きすることが容易に固定することができ、ワイヤーハーネスの仕上がり線径が太い場合、スリット部をはだけてワイヤーハーネスに案内筒部を抱かせてテープ巻きすることで容易に固定することができるので、ワイヤーハーネスの仕上がり線径が異なっても、ある程度の線径に対応することができ、バリエーションを広くすることができる。
【図面の簡単な説明】
【図１】本発明に係る蛇腹グロメットの実施の形態を示す全体構成斜視図である。
【図２】図１に図示の蛇腹グロメットの使用状態を示す図である。
【図３】図２に図示の蛇腹グロメットの蛇腹筒部にワイヤーハーネスを収納した状態を示す図である。
【図４】図２に図示の蛇腹グロメットの案内筒部のスリットを開いた状態を示す図である。
【図５】図３に図示のワイヤーハーネスを案内筒部形成方向に曲げた状態を示す図である。
【図６】図５に図示のワイヤーハーネスをさらに曲げて案内筒部内に収納した状態を示す図である。
【図７】従来の蛇腹グロメットにワイヤーハーネスを収納した状態を示す断面図である。
【符号の説明】
１０………………………………蛇腹グロメット
１１………………………………蛇腹筒部
１２………………………………パネル
１３………………………………嵌着部
１４………………………………ワイヤーハーネス
１５………………………………溝部
１６………………………………固定片
１７………………………………パネル
１８………………………………嵌着部
１９………………………………溝部
２０………………………………案内筒部
２１………………………………開口部
２２………………………………スリット
【図１】
0003664228.tif 000002
【図２】
0003664228.tif 000003
【図３】
0003664228.tif 000004
【図４】
0003664228.tif 000005
【図５】
0003664228.tif 000006
【図６】
0003664228.tif 000007
【図７】
0003664228.tif 000008